(57)【特許請求の範囲】
【請求項１】
商品取出口の内壁部に設けられた軸部にカール部を介して揺動自在に支持された扉によって手や異物が前記商品取出口より内部に挿入されることを防ぐ自動販売機の盗難防止板において、
弾性材料によって形成され、前記軸部の軸方向に所定の長さを有し、前記カール部の内壁と前記軸部の外周の間に前記扉と前記軸部とが一体的に回動するよう所定の圧縮度で圧入されて振動を圧縮度に基づいて吸収する前記カール部の端部を封止する圧入部と、
前記弾性材料によって前記圧入部と一体に形成され、前記カール部の前記端部の前記内壁部への衝撃を緩和する衝撃緩和部を有することを特徴とする自動販売機の盗難防止板。
【請求項２】
前記圧入部は、前記扉、前記カール部及び前記軸部から伝播する振動を吸収するように前記所定の長さ及び前記所定の圧縮度が決定される構成の請求項第１項記載の自動販売機の盗難防止板。
【請求項３】
前記衝撃緩和部は、前記衝撃を緩和するように弾性係数及び厚みが決定される構成の請求項第１項記載の自動販売機の盗難防止板。
【発明の詳細な説明】
【０００１】
【発明の属する技術分野】
本発明は自動販売機の盗難防止板に関し、特に、販売口扉の奥に配置される盗難防止板の軋み音、衝撃音等の騒音を低減する自動販売機の盗難防止板に関する。
【０００２】
【従来の技術】
従来の自動販売機として、商品取出口の内部に盗難防止板を有するものがある。この盗難防止板は、自動販売機の内部に設けられる商品収納庫から商品を搬出する商品搬出路に位置して設けられており、商品取出口から手や棒などを挿入することによる自動販売機の内部へのいたずらや、商品収納庫に収納されている商品の盗難を防いでいる。
【０００３】
図５は、従来の自動販売機の盗難防止板を示し、商品搬出路に位置して設けられる盗難防止板５Ｂと、盗難防止板５Ｂの上部に設けられるカール部５ｂと、カール部５ｂを貫通して商品取出口の側壁５Ｃに盗難防止板５Ｂを回動的に支持するシャフト４と、シャフト４に挿入されて盗難防止板５Ｂと側壁５Ｃの干渉を防ぐカラー２３を有する。
【０００４】
図６は、盗難防止板を部分的に拡大して示し、シャフト４に挿入されているカラー２３は、盗難防止板５Ｂがシャフト４の長さ方向に移動しようとする動きを規制することによって側壁５Ｃとの干渉を防いでいる。
【０００５】
近年、屋内に設置される自動販売機が増えており、特に、病院等の静かな場所に設置される自動販売機では、商品取出口に設けられる販売口用扉や盗難防止板から発生する耳障りな騒音が不快感を与えることがある。
【０００６】
上記した騒音を解決する自動販売機として、例えば、特開平７−１７５９６１号に開示されるものがある。この自動販売機は、商品取出口に設けられる扉（販売口用扉）を支持するシャフトのがたつきを防止するカラーを有し、このカラーは、スリットを有するスカート部と鍔部によって形成されてシャフト貫通用の孔部にスカート部が嵌入される。シャフトは、孔部に嵌入されたカラーを介して販売口用扉を支持する。
【０００７】
【発明が解決しようとする課題】
しかし、カラーを介して扉とシャフトの干渉を防いでも、手や商品が当たることで扉が揺動するため、扉の揺動による振動がシャフトを介して他の部分に伝播して騒音の原因になることがある。特に、商品取出口の内部に設けられる盗難防止板では、商品取出口に搬出される商品の直撃や、軋み音が商品取出口の側壁に伝播して共振し、大きな音をたてることがある。
従って、本発明の目的は商品取出口における商品の直撃や軋み音による騒音を低減することのできる自動販売機の盗難防止板を提供することにある。
【０００８】
【課題を解決するための手段】
本発明は上記目的を達成するため、商品取出口の内壁部に設けられた軸部にカール部を介して揺動自在に支持された扉によって手や異物が前記商品取出口より内部に挿入されることを防ぐ自動販売機の盗難防止板において、弾性材料によって形成され、前記軸部の軸方向に所定の長さを有し、前記カール部の内壁と前記軸部の外周の間に前記扉と前記軸部とが一体的に回動するよう所定の圧縮度で圧入されて振動を圧縮度に基づいて吸収する前記カール部の端部を封止する圧入部と、前記弾性材料によって前記圧入部と一体に形成され、前記カール部の前記端部の前記内壁部への衝撃を緩和する衝撃緩和部を有することを特徴とする自動販売機の盗難防止板を提供する。
【０００９】
上記する自動販売機の盗難防止板において、圧入部は、扉、カール部及び軸部から伝播する振動を吸収するように所定の長さ及び所定の圧縮度が決定されることが好ましく、衝撃緩和部は、衝撃を緩和するように弾性係数及び厚みが決定されることが好ましい。
【００１０】
【発明の実施の形態】
以下、本発明の自動販売機の盗難防止板を図面を参照して詳細に説明する。
【００１１】
図１は、盗難防止板を有する自動販売機の内部構造を側面方向より示し、本体１Ａに開閉可能に支持される前面扉１Ｂと、前面扉１Ｂの正面に取り付けられる商品表示部２と、商品表示部２に応じて配置される複数の押釦スイッチ（図示せず）を有するスイッチパネル部３と、自動販売機から商品を取り出す商品取出口５と、商品取出口５の外側に設けられる販売口扉５Ａと、商品取出口５の内側に設けられる盗難防止板５Ｂと、断熱材によって形成される商品収納庫６と、商品収納庫６の前面に開閉自在に設けられる商品収納庫扉７と、商品収納庫６の内部に設けられて商品をピッチ間に保持するスパイラル８と、スパイラル８の長さ方向に配置されるスパイラルシャフト９と、販売動作時にスパイラル８を回転させるスパイラル駆動モータ１０と、スパイラル８の回転に基づいて商品収納庫６から搬出される商品を商品取出部５に誘導する商品搬送路１１と、商品搬送路１１に設けられる搬送路扉（図示せず）を昇降させる昇降装置１２と、冷媒の熱交換に基づいて冷気を発生するエバポレータ１３と、エバポレータ１３に風を誘導するエバポレータファン１４と、エバポレータファン１４を回転させるモータ１５と、機械室に設けられるコンデンサ１６に風を誘導するコンデンサファン１７と、コンデンサファン１７を回転させるモータ１８と、冷媒を循環させるコンプレッサ１９と、自動販売機の下部に調整可能に設けられる調整脚２０を有する。
【００１２】
図２は、第１の実施の形態における自動販売機の盗難防止板を正面方向より示し、盗難防止板５Ｂは、カール部５ｂを貫通するシャフト４によって商品取出口５の両側に位置する側壁５Ｃに支持されており、側壁５Ｃの貫通孔とシャフト４との間のクリアランスを約０．１ｍｍで形成してこの部分のがたつき音の発生を防止している。シャフト４の端部にはシャフト４の抜けを防止するＥリング４Ａが装着されている。側壁５Ｃは、弾性部材で形成されたグロメット２２を介してシャフト４を支持している。グロメット２２は、カール部５ｂの端部が側壁５Ｃに当接することによる衝撃を緩和する衝撃緩和部２２Ａと、衝撃緩和部２２Ａと一体的に形成されてカール部５ｂに圧入される圧入部２２Ｂを有する。
【００１３】
図３（ａ）は、盗難防止板５Ｂを部分的に拡大して示し、グロメット２２の衝撃緩和部２２Ａは、盗難防止板５Ｂと側壁５Ｃとの間に所定の隙間を形成するとともにカール部５ｂの端部を被っており、側壁５Ｃとの衝突による衝撃を緩和する弾性係数及び厚みで形成される。圧入部２２Ｂは、カール部５ｂの端部から圧入されてカール部５ｂの内壁部とシャフト４の外周に密着しており盗難防止板５Ｂで生じる振動をその圧縮度に基づいて吸収して側壁５Ｃの共振を防止するとともに、側壁５Ｃからシャフト４を介して伝播する振動をその圧縮度に基づいて吸収して盗難防止板５Ｂの共振を防止する。圧入部２２Ｂは振動の周波数、伝播性に応じた長さで形成される。
【００１４】
図３（ｂ）は、グロメット２２の変形例を示し、側壁５Ｃを貫通する貫通部２２Ｄを衝撃緩和部２２Ａと一体的に設けても良く、この場合にはシャフト４と側壁５Ｃの摺動音を防ぐことができる。
【００１５】
図４（ａ）は、カール部５ｂに嵌入されたグロメット２２を拡大して示し、グロメット２２の圧入部２２Ｂはシャフト４とカール部５ｂとの間に所定の圧縮度で圧縮されて圧入されている。この状態では、例えば、矢印で示す振動Ｖが盗難防止板５Ｂで発生しても圧入部２２Ｂが振動Ｖを吸収する。同図においてはカール部５ｂの内径ｄを８ｍｍで形成している。
【００１６】
図４（ｂ）は、グロメット２２の断面を示し、カール部（図示せず）の内径が８ｍｍで形成されている場合、圧入部２２Ｂの長さＬは、盗難防止板５Ｂ及び側壁５Ｃから伝播する振動の特性、及びカール部５への嵌入性を考慮して５ｍｍ〜１５ｍｍの長さで形成することが好ましい。圧入部２２Ｂの外径ｄ０は、カール部５への嵌入時における圧縮度を考慮して８ｍｍ〜８．５ｍｍで形成されることが好ましい。圧入部２２Ｂの内径ｄ１は、シャフト４の外径と上記した振動の特性に基づいて４ｍｍ〜４．５ｍｍで形成されることが好ましい。
【００１７】
図４（ｃ）は、図４（ｂ）のＡ方向から見たグロメット２２を示し、圧入部２２Ｂの外径ｄ０は、カール部５ｂの内径より僅かに大に形成されており、カール部５に圧入されたときに所定の圧縮度となるように構成される。
【００１８】
上記した盗難防止板を有する自動販売機において、スパイラル８の回転に基づいて商品収納庫６から商品が搬出されると、商品は商品搬送路１１を介して商品取出口５に搬出される。この搬出時に商品が盗難防止板５Ｂの裏面に当たることによる衝撃はカール部５ｂに嵌入されているグロメット２２によって吸収されてシャフト４への伝播が防止され、側壁５Ｃの共振を防止する。また、側壁５Ｃで発生した振動についてもグロメット２２によって吸収されて盗難防止板５Ｂへの伝播が防止される。
【００１９】
盗難防止板５Ｂは、機械的強度、加工性に優れるステンレス板等の金属板材の他に、強化プラスチック等の樹脂素材を使用したものであっても良い。また、シャフト４は、側壁５Ｃと接する部分の軋み音を防ぐものとして、例えば、硬質の樹脂で形成されるチューブ状の滑り部材を介在させても良く、全体にプラスチックやゴム等のコーティングを施されたものを用いても良い。
【００２０】
上記した実施の形態では、自動販売機の盗難防止板から発生する軋み音や振動による騒音を低減する構成について説明しているが、例えば、商品取出口の外側に設けられる販売口扉に適用しても良く、販売口扉の開閉に伴う軋み音や振動による騒音を低減させることができる。
【００２１】
【発明の効果】
以上説明した通り、本発明の自動販売機の盗難防止板によると、弾性材料によって形成され、軸部の軸方向に所定の長さを有し、カール部の内壁と軸部の外周の間に扉と前記軸部とが一体的に回動するよう所定の圧縮度で圧入されて振動を圧縮度に基づいて吸収する前記カール部の端部を封止する圧入部と、弾性材料によって圧入部と一体に形成され、カール部の端部の内壁部への衝撃を緩和する衝撃緩和部を有するようにしたため、商品取出口における軋み音や振動による騒音を低減することができる。
【図面の簡単な説明】
【図１】本発明の実施の形態に係る自動販売機を示す説明図。
【図２】本発明の実施の形態における自動販売機の盗難防止板の正面図。
【図３】（ａ）は、本発明の実施の形態における盗難防止板の部分拡大図。
（ｂ）は、グロメットの変形例を示す断面図。
【図４】（ａ）は、カール部に嵌入されたグロメットを示す説明図。
（ｂ）は、グロメットの断面図。
（ｃ）は、グロメットの側面図。
【図５】従来の自動販売機の盗難防止板の正面図。
【図６】従来の自動販売機の盗難防止板の拡大図。
【符号の説明】
１Ａ，本体
１Ｂ、前面扉
２，商品表示部
３，スイッチパネル部
４，シャフト
４Ａ，Ｅリング
５，商品取出口
５Ａ，販売口扉
５Ｂ，盗難防止板
５Ｃ，側壁
５ｂ，カール部
５ｃ，弾性部材
６，商品収納庫
７，商品収納庫扉
８，スパイラル
９，スパイラルシャフト
１０，スパイラル駆動モータ
１１，商品搬送路
１２，昇降装置
１３，エバポレータ
１４，エバポレータファン
１５，モータ
１６，コンデンサ
１７，コンデンサファン
１８，モータ
１９，コンプレッサ
２０，調整脚
２０Ａ，商品取出部
２２，グロメット
２２Ａ，衝撃緩和部
２２Ｂ，圧入部
２２Ｄ，貫通部
２３，カラー
ｄ，カール部の内径
ｄ０，外径
ｄ１，内径
Ｌ，長さ
Ｖ，振動
【図１】
0003659001.tif 000002
【図２】
0003659001.tif 000003
【図３】
0003659001.tif 000004
【図４】
0003659001.tif 000005
【図５】
0003659001.tif 000006
【図６】
0003659001.tif 000007